(57)【要約】  本発明は、フレキシブルプリント回路カードを形成するために、薄膜基板の中に延在するか、又は薄膜基板を貫通し、向かい合っていない表面に沿って電気的に接続される複数のマイクロバイアを有し、電気回路を形成するようにする、処理された薄膜基板（１０）及びその方法を含む。ここでは第１のバイア（Ｖ１０、Ｖ３０、Ｖ５０）と呼ばれる第１の数のバイアを形成するために、第１の数の実在ナノトラックが、良好な電気的特性を有する第１の材料（Ｍ１）で満たされ、一方、ここでは第２のバイア（Ｖ２０、Ｖ４０、Ｖ６０）と呼ばれる第２の数のバイアを形成するために、第２の数の実在ナノトラックが、良好な電気的特性を有する第２の材料（Ｍ２）で満たされる。上記第１のバイア及び第２のバイア（Ｖ１０〜Ｖ６０）の第１の材料（Ｍ１）及び第２の材料（Ｍ２）が互いに異なる熱電気的特性を有するように選択される。薄膜基板の表面に被着され、薄膜基板（１０）の両側（１０ａ、１０ｂ）にコーティングされる材料が、第１の材料（Ｍ１）を割り当てられた第１のバイアと第２の材料（Ｍ２）を割り当てられた第２のバイアとを電気的に相互接続できるようにするために配設及び／又は構成され、電気的熱電対（１００）又は他の回路構成を形成するために、直列接続に含まれる最初のバイア（Ｖ１０）及びその直列接続に含まれる最後のバイア（Ｖ６０）が直列に適当に組み合わせられる。
2007529101.tif 000002
【特許請求の範囲】
【請求項１】
プリント回路カード又はプリント回路基板を形成するために、薄膜基板の中に延在するか、又は薄膜基板を貫通し、互いに対向しない表面に沿って電気的に接続される複数のマイクロバイアを有し、電気回路を形成すべく、処理された薄膜基板であって、ａ；該薄膜基板の少なくとも或る特定の選択された表面部分が、たとえばイオンの形態の加速された粒子で処理され、ｂ；前記選択された表面部分に衝突するときの前記粒子の速度、及び前記粒子の質量が互いに、少なくともいくつかの粒子が十分な確実度で該薄膜基板を貫通することになるように、前記粒子に関連する運動エネルギーが選択されるような値になされるように構成され、それにより、該薄膜基板を横断するナノワイヤ又は潜在ナノトラックを形成できるようにし、ｃ；該薄膜基板を横断する実在ナノトラックを形成するために、選択された潜在横断ナノトラックが、たとえば既知の態様で処理され、ｄ；前記スルーホールマイクロバイアを形成するために、前記実在ナノトラックが、それ自体が（per se）知られている態様で、選択された導電性を有する材料で満たされ、ｅ；複数のスルーホールのマイクロホール又はバイアホールが、該薄膜基板の前記互いに対向しない表面に被着され、且つ選択された導電性を有する１つ又は２つの材料によって電気的に相互接続され、ここでは第１のバイア（Ｖ１０、Ｖ３０、Ｖ５０）と呼ばれる第１の数のバイアを形成するために、第１の数の前記実在ナノトラックが、選択された電気的特性を有する第１の材料（Ｍ１）で満たされ、一方、ここでは第２のバイア（Ｖ２０、Ｖ４０、Ｖ６０）と呼ばれる第２の数のバイアを形成するために、第２の数の前記実在ナノトラックが、選択された電気的特性を有する第２の材料（Ｍ２）で満たされる、処理された薄膜基板であって、
選択された第１のバイア及び第２のバイア（Ｖ１０〜Ｖ６０）の前記第１の材料（Ｍ１）及び前記第２の材料（Ｍ２）が互いに異なる電気的特性を有するように選択され、該薄膜基板の表面に被着され、且つ該薄膜基板の両側にコーティングされる材料が、前記第１の材料を割り当てられた第１のバイアと前記第２の材料を割り当てられた第２のバイアとを電気的に相互接続できるようにするために配設及び／又は構成され、電気的熱電対及び／又は回路構成を提供するために、直列接続に含まれる最初のバイア（Ｖ１０）及び該直列接続に含まれる最後のバイア（Ｖ６０）が適当に組み合わせられることを特徴とする、処理された薄膜基板。
【請求項２】
熱電対に関連付けられる特性を有する、処理された薄膜基板が、スペクトル分析用に構成される検出器内に信号受信機として収容されるように構成されることを特徴とする、請求項１に記載の処理された薄膜基板。
【請求項３】
前記「ａ」の最中に、前記薄膜基板全体の外側表面が、加速された重イオンで処理されるようになることを特徴とする、請求項１に記載の処理された薄膜基板。
【請求項４】
前記「ｂ」の最中に、粒子又はイオンに割り当てられる前記運動エネルギーは、前記粒子の少なくとも８０％が確実に前記薄膜基板を貫通することになるように選択されることを特徴とする、請求項１に記載の処理された薄膜基板。
【請求項５】
前記「ｃ」の最中に、マスキング工程によって、前記実在ナノトラックが形成されることを特徴とする、請求項１に記載の処理された薄膜基板。
【請求項６】
前記「ｄ」の最中に、第１のバイアを形成するために、選択された実在ナノトラックが、選択された工程によって第１の材料で満たされることを特徴とする、請求項１に記載の処理された薄膜基板。
【請求項７】
前記「ｄ」の最中に、第２のバイアを形成するために、第２の選択された実在ナノトラ
ックが、選択された工程によって第２の材料で満たされることを特徴とする、請求項１に記載の処理された薄膜基板。
【請求項８】
前記「ｅ」の最中に、複数の第１のバイア及び複数の第２のバイアが、マスキング工程によって前記薄膜基板の前記２つの表面のうちの一方に被着される材料によって電気的に相互接続されることを特徴とする、請求項１に記載の処理された薄膜基板。
【請求項９】
前記「ｅ」の最中に、複数の第１のバイア及び複数の第２のバイアが、マスキング工程によって前記薄膜基板の前記２つの表面のうちの第２の表面に被着される材料によって電気的に相互接続されることを特徴とする、請求項１に記載の処理された薄膜基板。
【請求項１０】
前記「ｂ」の最中に、画定された潜在横断ナノトラックが最初に、異方性材料から成るナノワイヤの形で、前記バルク材料内に形成される、適当に組み合わせられるナノワイヤから成り、前記異方性材料は、実在ナノトラックを形成するために化学エッチングされやすいことを特徴とする、請求項１に記載の処理された薄膜基板。
【請求項１１】
前記薄膜基板はプラスチック材料から選択され、２００〜３０μｍの厚みを割り当てられることを特徴とする、請求項１に記載の処理された薄膜基板。
【請求項１２】
前記薄膜基板は芳香族ポリマー材料から成り、開放実在ナノトラックを形成するための化学試薬を利用しながら、アルカリ性及び／又は酸化する湿潤環境においてエッチングが実行されることを特徴とする、請求項１又は１１に記載の処理された薄膜基板。
【請求項１３】
前記「ｂ」の最中に、前記運動エネルギーは、イオン当たり２００〜７０００ＭｅＶになるように選択されることを特徴とする、請求項１に記載の処理された薄膜基板。
【請求項１４】
前記「ｂ」の最中に、前記ナノワイヤは、「クーロン」爆発及び／又は熱過渡現象によって設けられることを特徴とする、請求項１に記載の処理された薄膜基板。
【請求項１５】
前記「ｃ」の最中に、次亜塩素酸ナトリウム含有溶液又は酸化カリウム含有溶液が用いられることを特徴とする、請求項１に記載の処理された薄膜基板。
【請求項１６】
前記「ｃ」の最中に形成される前記実在横断開放ナノトラックは、内側トラック表面を濡らすために、エタノール等で事前処理されることを特徴とする、請求項１に記載の処理された薄膜基板。
【請求項１７】
プリント回路カード又はプリント回路基板を形成するために、薄膜基板の中に延在するか、又は薄膜基板を貫通し、互いに対向しない表面に沿って電気的に接続される複数のマイクロバイアを有し、電気回路を形成するようにする、薄膜基板を処理するための方法であって、
ａ；前記薄膜基板の少なくとも或る特定の選択された表面部分が、たとえばイオンの形態の加速された粒子で処理されるステップと、
ｂ；前記選択された表面部分に衝突するときの前記粒子の速度、及び前記粒子の質量が互いに、少なくともいくつかの粒子が十分な確実度で前記薄膜基板を貫通することになるように、前記粒子に関連する運動エネルギーが選択されるような値になるように構成され、それにより、前記薄膜基板を横断するナノワイヤ又は潜在ナノトラックを形成させるステップと、
ｃ；前記薄膜基板を横断する実在ナノトラックを形成するために、選択された潜在横断ナノトラックが、たとえば既知の態様で処理されるステップと、
ｄ；スルーホールマイクロバイアを形成するために、前記実在ナノトラックを、それ自
体が知られている態様で、選択された導電性を有する材料で充満させるステップと、
ｅ；複数のスルーホールのマイクロホール又はバイアホールを、前記薄膜基板の前記互いに対向しない表面に被着され、且つ選択された導電性を有する１つ又は２つの材料によって電気的に相互接続するステップであって、第１のバイア（Ｖ１０、Ｖ３０、Ｖ５０）と呼ばれる第１の数のバイアを形成するために、第１の数の前記実在ナノトラックが、選択された電気的特性を有する第１の材料（Ｍ１）で満たされる間に、第２のバイア（Ｖ２０、Ｖ４０、Ｖ６０）と呼ばれる第２の数のバイアを形成するために、第２の数の前記実在ナノトラックが、選択された電気的特性を有する第２の材料（Ｍ２）で満たされる、電気的に相互接続するステップとを備えた薄膜基板を処理する方法であって、
選択された第１のバイア及び第２のバイア（Ｖ１０〜Ｖ６０）の前記第１の材料（Ｍ１）及び前記第２の材料（Ｍ２）が互いに異なる電気的特性を有するように選択され、前記薄膜基板の表面に被着され、且つ前記薄膜基板の両側にコーティングされる材料が、前記第１の材料を割り当てられた第１のバイアと前記第２の材料を割り当てられた第２のバイアとを電気的に相互接続できるようにするために配設及び／又は構成され、電気的熱電対及び／又は回路構成を提供するために、直列接続に含まれる最初のバイア（Ｖ１０）及び該直列接続に含まれる最後のバイア（Ｖ６０）が適当に組み合わせられることを特徴とする、薄膜基板を処理する方法。
【請求項１８】
熱電対に関連付けられる特性を有する、処理された薄膜基板が、スペクトル分析用に構成される検出器内に信号受信機として収容されるように構成されることを特徴とする、請求項１７に記載の薄膜基板を処理する方法。
【請求項１９】
前記「ａ」の最中に、前記薄膜基板全体の外側表面が、加速された重イオンで処理されるようになることを特徴とする、請求項１７に記載の薄膜基板を処理する方法。
【請求項２０】
前記「ｂ」の最中に、粒子又はイオンに割り当てられる前記運動エネルギーは、前記粒子の少なくとも８０％が確実に前記薄膜基板を貫通することになるように選択されることを特徴とする、請求項１７に記載の薄膜基板を処理する方法。
【請求項２１】
前記「ｃ」の最中に、マスキング工程によって、前記実在ナノトラックが形成されることを特徴とする、請求項１７に記載の薄膜基板を処理する方法。
【請求項２２】
前記「ｄ」の最中に、第１のバイアを形成するために、選択された実在ナノトラックが、選択された工程によって第１の材料で満たされることを特徴とする、請求項１７に記載の薄膜基板を処理する方法。
【請求項２３】
前記「ｄ」の最中に、第２のバイアを形成するために、第２の選択された実在ナノトラックが、選択された工程によって第２の材料で満たされることを特徴とする、請求項１７に記載の薄膜基板を処理する方法。
【請求項２４】
前記「ｅ」の最中に、複数の第１のバイア及び複数の第２のバイアが、マスキング工程によって前記薄膜基板の前記２つの表面のうちの一方に被着される材料によって電気的に相互接続されることを特徴とする、請求項１７に記載の薄膜基板を処理する方法。
【請求項２５】
前記「ｅ」の最中に、複数の第１のバイア及び複数の第２のバイアが、マスキング工程によって前記薄膜基板の前記２つの表面のうちの第２の表面に被着される材料によって電気的に相互接続されることを特徴とする、請求項１７に記載の薄膜基板を処理する方法。
【請求項２６】
前記「ｂ」の最中に、画定された潜在横断ナノトラックが最初に、異方性材料から成るナノワイヤの形で、前記バルク材料内に形成される、適当に組み合わせられるナノワイヤ
から成り、前記異方性材料は、実在ナノトラックを形成するために化学エッチングされやすいことを特徴とする、請求項１７に記載の薄膜基板を処理する方法。
【請求項２７】
前記薄膜基板はプラスチック材料から選択され、２００〜３０μｍの厚みを割り当てられることを特徴とする、請求項１７に記載の薄膜基板を処理する方法。
【請求項２８】
前記薄膜基板は芳香族ポリマー材料から成り、開放実在ナノトラックを形成するための化学試薬を利用しながら、アルカリ性及び／又は酸化する湿潤環境においてエッチングが実行されることを特徴とする、請求項１７又は１７に記載の薄膜基板を処理する方法。
【請求項２９】
前記「ｂ」の最中に、前記運動エネルギーは、イオン当たり２００〜７０００ＭｅＶになるように選択されることを特徴とする、請求項１７に記載の薄膜基板を処理する方法。
【請求項３０】
前記「ｂ」の最中に、前記ナノワイヤは、「クーロン」爆発及び／又は熱過渡現象によって設けられることを特徴とする、請求項１７に記載の薄膜基板を処理する方法。
【請求項３１】
前記「ｃ」の最中に、次亜塩素酸ナトリウム含有溶液又は酸化カリウム含有溶液が用いられることを特徴とする、請求項１７に記載の薄膜基板を処理する方法。
【請求項３２】
前記「ｃ」の最中に形成される前記実在横断開放ナノトラックは、内側トラック表面を濡らすために、エタノール等で事前処理されることを特徴とする、請求項１７に記載の薄膜基板を処理する方法。
【発明の詳細な説明】
【技術分野】
【０００１】
本発明は、包括的には、複数の工程又は処理ステップにおいて処理され、この処理によって、１つ又は複数のプリント回路基板又はプリント回路カードを製造できるようにする薄膜基板に関する。
【０００２】
本特許出願では、薄膜基板は、厚みが５００μｍよりも薄い基板を覆うためのものである。
プリント回路カードという表現は主に又は第１には、以下に説明される態様で処理される単一の薄膜基板を意図しているが、第２には、複数のそのように処理された薄膜基板を結合し、それにより、多層プリント回路カードを設けることができるようにすることも妨げられず、その場合には、本発明によって与えられる記載又は助言に従って処理されるプリント回路カードは、そのような層構造に関連する表面の最も外側に被着できることが好都合である。
【０００３】
薄膜基板を用いることにより、フレキシブルプリント回路カードを製造できるようになり、その場合、層の数及び個々の層の厚みを選択することによってフレキシビリティが低下する。
【０００４】
ステップ、手段又は目的を簡単にするために、これ以降の説明は、１つの薄膜基板上に形成される単一のフレキシブルプリント回路カードの説明だけに限定されるであろう。
このようにして製造される上記フレキシブルプリント回路カードはそれぞれ、薄膜基板の中に延在するか、又は薄膜基板を貫通する複数のバイアを含み、或る回路を経由して、向かい合っていない表面に沿って電気的に接続され、そうすることで、１つ又は複数の電気回路を形成できるようにするであろう。
【０００５】
本発明は概ね、複数の工程ステップにおいて実行される、バルク材料のような、薄膜基板の一連の処理を踏まえ、又はそれに基づき、この処理により、単層プリント回路カードを設けることができるようにする。
【０００６】
複数の工程ステップにおいて実行されるそのような一連の処理は、既知の方法に従って、且つ以下に記載されるような提案される一連の流れにおいて達成できることが好都合であり、その一連の流れは、
ａ；バルク材料としての上記薄膜基板の全体又は少なくとも或る特定の選択された表面部分がたとえばイオンの形をとる加速された粒子で処理されるようにすること、
ｂ；薄膜基板の表面上で選択される上記表面部分に衝突するときの上記粒子の速度と、それらの粒子の相互に関連する質量とを選択して、それらの粒子に関連する、又は割り当てられる運動エネルギーが、少なくともいくつかの粒子が十分な確実度で、上記薄膜基板を通り抜けて、貫通することになるほど十分に高く選択されるようにし、それにより、いわゆるナノワイヤを後に形成し、且つ上記薄膜基板を横断する、潜在ナノトラックと見なされるトラックを形成できるようにすること、
ｃ；既知の態様と同じように、上記ナノワイヤ又は選択された潜在横断ナノトラックを処理できるようにし、それにより、実在し、適当に組み合わせられたナノトラックを形成し、それらの多くが薄膜基板を完全に横断するようにすること、
ｄ；薄膜基板を横断するか、又は薄膜基板の中に延在（又は薄膜基板を貫通）するバイアを形成するために、良好又は或る程度良好な導電性を有する材料で示唆されるような材料で、それ自体が知られている態様で、少なくとも選択された実在ナノトラックを満たすことができるようにすること、及び
ｅ；良好又は或る程度良好な導電性を有する、薄膜基板の向かい合っていない表面に被着される、１つ又は好ましくは２つの材料列によって、表面に延伸する電気回路を経由して、複数の上記貫通バイアを電気的に相互接続できるようにすることを含む。
【０００７】
［定義］
潜在ナノトラック又はナノワイヤは、バルク材料として用いられる薄膜基板を貫通し、それにより基板の中に延在するか、又は基板を貫通する概ね垂直で、たとえば異方性のナノワイヤを形成する、加速された粒子、好ましくはイオンによって引き起こされる細いワイヤ状の材料の改質を示すことを意図しており、そのナノワイヤの材料構造は、薄膜基板の材料構造の残りの部分よりも高いエネルギーを有する材料構造に変化しており、変化した材料構造は結果として、薄膜基板の中を粒子又はイオンが移動する方向において、エッチング、たとえば化学エッチングされやすくなっている。
【０００８】
実在ナノトラックは、上記エッチングによって、先に述べられたナノトラック又はナノワイヤ内の材料構造が除去されており、且つこのようにして、細いスルーホール又は実在トラックが作り出されていることを示すことを意図している。
【０００９】
バイア又はマイクロバイアは、少なくとも１つの実在ナノトラック、好ましくはいくつかのスルーホール又は実在ナノトラックを適当に組み合わせたものが、或る材料で満たされており、薄膜基板の向かい合ってない表面部分間に延在することを示すことを意図している。本明細書で選択される材料として、著しく、又は際立って良好な導電性を有する材料、及び／又は選択された或る程度良好な導電性を有する材料を使用できることが好都合である。
【背景技術】
【００１０】
先に述べられた性質を有する方法及び装置は複数の異なる実施形態において以前から知られている。
前置きとして触れておくと、絶縁性材料の中を貫通するか、又は貫通した加速された粒子又はイオンが、ナノトラック又はナノワイヤを形成することについての理解は１９６０年代には既に得られており、利用されていたが、それは、これらが地質学及び宇宙学において重要であると見なされていたからであり、宇宙粒子が地球の大気を通って到達すると、多くの絶縁性材料内に永久トラックが形成され、それと同じ技術が本発明においても用いられるということに言及することができる。
【００１１】
本発明の背景及び本発明が基礎とする技術的条件に関する、時間的にさらに近い関連する例として、非特許文献１というタイトルの出版物ＩＳＳＮ  １１０４−２３２Ｘ又はＩＳＢＮ  ９１−５５４−５５１５−８の内容に触れることができる。
【００１２】
上記出版物の５２ページ及び図４９では、直列に接続されるいくつかのバイア又はマイクロバイアによって、ソレノイドのような形状のインダクタコイルを如何に構成し得るかが例示されており、同じ金属材料によって、形成されたマイクロバイアをコイルとして電気的に相互接続できるようにし、それによりフレキシブル回路構成を形成するために、前置きとして述べられた工程を利用して、全てのマイクロバイアが１つの同じ金属材料から形成され、薄膜基板を貫通して平行に向けられており、上記薄膜基板の向かい合っていない表面に必要な回路が設けられている。
【００１３】
このようにして製造されるフレキシブル回路構成は、プリント回路カード又はプリント基板上に印刷される回路の応用形態と対比することができるであろう。
本発明に関連し、好都合な応用形態を期待することができる技術分野が、特許文献１に図示され、開示される。
【００１４】
本明細書では、いくつかの方法及び気体センサに関連する検出器が図示及び開示される。
数ある中でも、気体セル（２）の中を通り抜ける、赤外線光線のような電磁波を検出できるように意図される、気体センサに関連する検出器を製造できるようにするための方法が提供され、上記気体セルは、測定又は評価の対象となる気体（Ｇ）の量を収容することができるように構成される空洞（２１）を形成し、上記電磁波に対して高い反射率を有する表面を形成できるようにするために、上記気体セル（２）又は空洞（２１）内の壁部（２１Ｃ、２１Ｄ、２１Ｅ）を形成する表面又は表面の一部が、１つ又は複数の異なる金属層（Ｍ１、Ｍ２）でコーティングされる。
【００１５】
上記検出器（３）は、地形的な構造を呈する１つ又は複数の表面エリアを有する、非導電性の基層上に形成される、熱素子の形をとる１つ又は複数の受光手段から成り、それらのエリアは第１の導電性金属層及び第２の導電性金属層をコーティングされ、その第１の金属層及び第２の金属層は、互いから９０°だけ離れた入射角で地形的な表面構造に被着される。
【００１６】
より詳細には、上記の気体セルに関連する空洞（２１）は、基層（Ｂ）のカップ形の第１の部分（２Ａ）、及び第２の部分と呼ばれる一部分（２Ｂ）によって形成されるべきである。
【００１７】
検出器に関連する地形的な構造（３）は、上記基層（Ｂ）のための第１の部分及び／又は上記カップ形部分の一部分を割り当てられるべきである。
上記基層（Ｂ）は、検出器に関連する回路構成（１ｂ）を形成するように構成される１つ又は複数の付加的な部分も有するべきである。
【特許文献１】国際公開第９９／４１５９２号（Ａ１）
【非特許文献１】ミカエル・リンドバーグ（Ｍｉｋａｅｌ  Ｌｉｎｄｅｂｅｒｇ）、「High Aspect Ratio Microsystem Fabrication by Ion Track Lithography」
【発明の開示】
【発明が解決しようとする課題】
【００１８】
提起されている１つ又は複数の技術的課題に対する解決策を提供できるようにするために、関連技術分野の熟練者が最初に考慮すべき技術的な事柄が、行われるべき措置及び／又は一連の措置において必要な見通しを立てること、並びに要求されることになる１つ又は複数の手段に欠くことのできないものを選択することであるという事情に注意を払うなら、これを考慮に入れて、以下に記載される技術的課題は、本発明を生み出し、その発明内容を形にすることに繋がるはずである。
【００１９】
先に説明されたような従来技術を考慮に入れると、前置きとして述べられたように、バルク材料として薄膜基板を利用し、そのような薄膜基板の処理を利用しながら既知の基本的な条件に従って、１つの同じ金属材料を用いて、薄膜基板上にトロイダルインダクタンスを形成できるようし、複数の導電性材料又は半導電性材料を利用しながら、コールドジョイント及びホットジョイントを有する電気的熱電対を形成し、且つ／又は電気回路構成を形成するための状況を作り出すことができるようにすることの重要性、それに関連する利点及び／又は行うべきステップの重要性を理解できるようにすることが、技術的課題と見なされるべきである。
【００２０】
それに関連して、金属材料のような少なくとも２つの異なる材料によって、薄膜基板の内部に構成される光検出ユニットを配設できるようにすることが、技術的課題と見なされるべきであり、そのユニットは、前置きとして述べられた国際特許公開に記載されている
技術分野に適用することができる。
【００２１】
さらに、薄膜基板を貫通して延伸するマイクロバイアを用いて、又はそれらのマクロバイア上に形成される電気的熱電対を形成できるようにすることが、技術的課題と見なされるべきであり、その場合に、薄膜基板の一方の表面は、ホットジョイントとしての役割を果たすことができるべきであり、その表面と向かい合っていない第２の表面はコールドジョイントとしての役割を果たすことができるべきである。
【００２２】
その中にいくつかのナノトラック及びマイクロバイアが延在する薄膜基板を利用するときに、マイクロバイアを形成するために処理され、選択された最終的な分野又は結果のために適した、同じ金属材料又は異なる金属材料又は他の材料を有する上記実在ナノトラックを利用しながら、いくつかの電気回路構成を配設できるようにすることの重要性とそれに関連する利点を理解できるようにすることも、技術的課題と見なされるべきである。
【００２３】
それに関連して、或る特定の第１の選択されたマイクロバイアのために、第１の金属材料を選択できるようにすること、或る特定の第２の選択されたマイクロバイアのために、別の金属材料を選択できるようにすること、或る特定の第３の選択されたマイクロバイアのために、第３の材料を選択できるようにすること等の重要性とそれに関連する利点を理解できるようにすることに技術的課題がある。
【００２４】
さらに、或る特定の選択されたマイクロバイアのために、半導電性の材料を選択できるようにすることの重要性とそれに関連する利点を理解できるようにすることも、技術的課題と見なされるべきである。
【００２５】
それに関連して、種々の金属材料が、形成されることになる熱素子に含まれ、薄膜基板を完全に貫通して延在する、隣接し、且つ適当に組み合わせられたマイクロバイアに供給されるようにすることの重要性とそれに関連する利点を理解できるようにすることに技術的課題がある。
【００２６】
そのような熱電対の場合に、本明細書では第１のバイア又はマイクロバイアと呼ばれる第１の数のバイアを形成するために、このようにして形成された第１の数の実在ナノトラックが、選択された電気的特性及び他の特性を有する第１の材料で満たされるようにし、且つ本明細書では第２のバイア又はマイクロバイアと呼ばれる第２の数のバイアを形成するために、このようにして形成された第２の数のナノトラックが、選択された電気的特性又は他の特性を有する第２の材料で満たされるようにすることの重要性とそれに関連する利点を理解できるようにすることにも技術的課題があり、その場合、第１のバイア及び第２のバイアの第１の材料及び第２の材料は、温度依存性の電気機械的な力（ＥＭＦ）を生み出すために、互いに異なる熱電気的特性を有するように選択されるべきである。
【００２７】
それゆえ、回路として薄膜基板の表面に被着される導電性材料が、薄膜基板の両面に被着され、さらには第１の材料を割り当てられた第１のバイアと、第２の材料を割り当てられた第２のバイアとを、選択され、指定された回路を介して、たとえば直列接続において電気的に相互接続できるようにし、且つ／又は複数のそのような直列接続を並列に接続できるようにするために配設され、且つ／又は構成されるようにすることの重要性とそれに関連する利点を理解できるようにすることに技術的課題がある。
【００２８】
さらに、目的に合っており、しかも薄膜基板の両側又は両面のうちの一方に配置されるいくつかのホットジョイントを有し、且つ上記薄膜基板の向かい合っていない第２の側又は表面上に配置されるいくつかのコールドジョイントを有する、電気的熱電対を形成するために、直列接続内に含まれる最初のバイア、及びその直列接続内に含まれる最後のバイ
アが、指定された表面に関連する回路を介して適当に組み合わせられるようにすることの重要性とそれに関連する利点を理解できるようにすることに技術的課題がある。
【００２９】
このようにして処理された薄膜基板が、スペクトル分析用に構成された検出器の内部にある、周波数に合わせて構成された受光器のような、１つ又は複数の受光器としての役割を果たすことができるようにするために構成されるようにすることの重要性とそれに関連する利点を理解できるようにすることに技術的課題があり、その際、薄膜基板の第１の表面部分は、第１の選択された周波数のための第１の電気的熱電対として構成することができ、同じ薄膜基板の第２の表面部分は、第２の選択された周波数のための第２の電気的熱電対として構成することができる。
【００３０】
ナノワイヤを処理して実在ナノトラック及びマイクロバイアにした後に、上記熱電対に加えて、電気回路が、半導電性部品を含むことができることが好都合である、他の電気回路及び／又は回路構成に適合するための状況を同様に作り出すことができるようにするために、選択された表面部分、すなわち薄膜基板の外側表面全体のうちのより大きな部分、又はより小さな部分、又は外側表面全体が加速された重粒子又は重イオンで処理されるようにすることの重要性とそれに関連する利点を理解できるようにすることにも技術的課題がある。
【００３１】
粒子のうちの少なくとも選択された割合、たとえば８０％が満足のいく確実度で上記薄膜基板を貫通し、それにより横断し、且つ完全に貫通する潜在ナノワイヤを形成し、それらを適当に組み合わせて、処理することにより、選択された密度及び／又は選択された抵抗値を有する１つ又は複数のマイクロバイアを形成することができるようにするほど十分に高く選択される粒子又はイオンに割り当てられる運動エネルギーが選択されるようにすることの重要性とそれに関連する利点を理解できるようにすることに技術的課題がある。
【００３２】
第１に、選択され、適当に組み合わせられた、隣接し関連付けられる第１のマイクロバイアが電気的熱電対を形成できるようにするために、且つ第２に、選択され、適当に組み合わせられた、隣接し関連付けられる第２のマイクロバイアが、上記電気的熱電対とは別のタイプの電気回路を形成できるようにするために、これ以降「テンティング」工程と呼ばれる（それは、或る表面の或る部分だけを処理することを意味する）、マスキング工程に類似の方法によって、上記実在ナノトラックが形成され、且つ／又は適当に組み合わせられるようにすることの重要性とそれに関連する利点を理解できるようにすることも技術的課題がある。
【００３３】
上記第１のバイアを形成するために、選択された工程及び選択された第１のマスキング又はテンティングによって、第１の選択された実在ナノトラックが第１の導電性材料で満たされるようにし、且つ上記第２のバイアを形成するために、選択された工程及び選択された別のマスキング又はテンティングであるが、好ましくは同じ工程によって、第２の選択された実在ナノトラックが第２の導電性材料で満たされるようにすることの重要性とそれに関連する利点を理解できるようにすることにも技術的課題がある。
【００３４】
マスキング工程又はテンティング工程によって薄膜基板の２つの表面のうちの一方に被着される導電性材料によって形成される電気回路によって、選択された複数の隣接して関連付けられる第１のマイクロバイア及び選択された複数の隣接して関連付けられる第２のマイクロバイアが電気的に相互接続されるようにすることの重要性とそれに関連する利点を理解できるようにすることに技術的課題があり、その場合に、同様に、別の電気回路のために、電気回路を介して上記同じ材料を用いることもできる。
【００３５】
マスキング又はテンティングによって薄膜基板の２つの表面のうちの第２の表面に被着
される材料によって形成される電気回路によって、複数の第１のマイクロバイア及び複数の第２のマイクロバイアが電気的に相互接続されるようにすることの重要性とそれに関連する利点を理解できるようにすることに技術的課題があり、その場合、同様に、電気的熱電対以外の電気的接続のために、電気回路を介して上記材料を利用し、形成することができる。
【００３６】
それゆえ、実在ナノトラックを形成するために化学エッチングされやすく、マイクロバイアを形成するために後に処理される、作用を受けたバルク材料の適当に組み合わせられたナノワイヤから最初に構成される、上記潜在ナノトラックが横断できるようにし、同時に、電気的熱電対のために必要とされる電気回路の外部にある電気回路及び部品ための不可欠な電気回路を形成するために、マイクロバイアを選択し、且つ／又はそのようなマイクロバイアを適当に組み合わせることができるようにすることの重要性とそれに関連する利点を理解できるようにすることに技術的課題がある。
【００３７】
上記薄膜基板がプラスチック材料から選択され、且つ２００〜３０μｍの全厚を割り当てられるようにし、それにより、空洞内で気体を検出し、且つ／又は現在の気体濃度を評価するのに適した、選択された周波数を有するパルス状の光波を利用している最中に有効である、電気的熱電対に収容されることになるマイクロバイア毎に、選択された長さにその厚みが適合できるようにすることの重要性とそれに関連する利点を理解できるようにすることに技術的課題がある。
【００３８】
上記薄膜基板が芳香族ポリマー材料から構成されるようにすることの重要性とそれに関連する利点を理解できるようにすることに技術的課題があり、その場合、開放実在ナノトラックを形成するために化学試薬を利用している最中に、アルカリ性及び／又は酸化する湿潤環境内でエッチングを実行することができる。
【００３９】
それゆえ、本明細書において教示される応用形態では、イオン当たりの運動エネルギーが２００〜７０００ＭｅＶであるが、通常はイオン当たり２０００ＭｅＶ未満であるように選択されることになるような状況を作り出すことの重要性とそれに関連する利点を理解できるようにすることに技術的課題がある。
【００４０】
「クーロン」爆発及び／又は熱過渡現象によってプラスチック内部に上記ナノワイヤを設けることができるようにすることの重要性とそれに関連する利点を理解できるようにすることにも技術的課題がある。
【００４１】
それゆえ、次亜塩素酸ナトリウム（ＮａＯＨＣｌ）含有溶液及び／又は酸化カリウム（ＫＯＨ）含有溶液を利用することによりもたらされることになる、薄膜基板を横断する実在ナノトラックを形成するために、横断潜在ナノワイヤ又は潜在ナノトラックを処理できるようにすることの重要性とそれに関連する利点を理解できるようにすることに技術的課題がある。
【００４２】
内側トラック表面を濡らすために、そのように形成された実在横断開放ナノトラックが、エタノール等で事前処理されるようにすることの重要性とそれに関連する利点を理解できるようにすることに技術的課題がある。
【課題を解決するための手段】
【００４３】
本発明は、処理された薄膜基板、及びそのような薄膜基板を製造するための方法に関し、それを含み、それに関連して、前置きとして例示されており、且つ添付の請求項１の前文に記載される、前置きとして教示される既知の技法を基にしている。
【００４４】
先に述べられた技術的課題のうちの１つ又は複数を解決できるようにするために、本発明は特に、本明細書では第１のバイア又はマイクロバイアと呼ばれる第１の数のバイアを形成するために、第１の数の実在ナノトラックが、選択された電気的特性を有する第１の材料で満たされるべきであるという事実、本明細書では第２のバイア又はマイクロバイアと呼ばれる第２の数のバイアを形成するために、第２の数の実在ナノトラックが、選択された電気的特性を有する第２の材料で満たされるべきであるという事実、並びに上記第１のバイア及び第２のバイアの第１の材料及び第２の材料が互いに異なる電気的特性を有するように選択されるという事実によって、中でも、薄膜基板に１つ又は複数の電気的熱電対又は電気回路構成を形成できるようにするように、このように知られている技法が補われるべきであることを教示する。
【００４５】
さらに、薄膜基板の両側にコーティングされる、薄膜基板の表面に被着される材料が、上記第１の材料を割り当てられた第１のバイアを、上記第２の材料を割り当てられた第２のバイア、導電性又は半導電性の材料を割り当てられた第３のバイア等に、形成された回路によって電気的に相互接続できるように配設され、且つ／又は構成されることが教示及び示唆される。
【００４６】
さらに、電気的熱電対及び／又は別の電気的接続構成を形成するために、直列接続に含まれる最初のバイア、及びその直列接続に含まれる最後のバイアを適当に組み合わることができることが教示及び示唆される。
【００４７】
本発明の基本的な概念の範囲内に入る、提案される実施形態として、熱電対の処理された薄膜基板が、スペクトル分析用に構成される検出器内に１つ又は複数の周波数指示信号受信機として収容されるように構成されるべきであることが教示及び示唆される。
【００４８】
さらに、薄膜基板の外側表面の大部分又はその全体が、加速された重粒子で処理されるべきであり、その場合、粒子又はイオンに割り当てられる運動エネルギーは、粒子の少なくとも８０％が確実に上記薄膜基板の厚みを貫通することになるように選択されるべきであることが教示される。
【００４９】
さらに、マスキング又はテンティングによって、実在ナノトラックが形成できるべきであること、及び、第１のバイアを形成するために、選択された実在ナノトラックが、選択された工程によって第１の導電性材料で満たされることができるべきである一方、第２のバイアを形成するために、第２の選択された実在ナノトラックが、選択された工程によって第２の導電性材料で満たされることができるべきであることが教示される。
【００５０】
したがって、本発明によると、複数の第１のバイア及び複数の第２のバイアが、回路の形の材料によって電気的に相互接続されるとともに、マスキング又はテンティングによって薄膜基板の２つの表面のうちの一方に被着されるべきであることが教示される。
【００５１】
さらに、複数の第１のバイア及び複数の第２のバイアが、回路の形の材料によって電気的に相互接続されるとともに、マスキング又はテンティングによって薄膜基板の２つの表面のうちの第２の表面に被着されるべきであることが教示及び示唆される。
【００５２】
さらに、潜在横断ナノトラックは最初に、異方性材料から成る垂直ワイヤの形で、適当に組み合わせられるナノワイヤから成り、その後、サブミクロンの細管、或いは実在ナノトラックを形成するために化学エッチングされやすいことが教示及び示唆される。
【００５３】
さらに、上記薄膜基板はプラスチック材料（ポリマー）から選択され、且つ２００〜３０μｍの厚みを割り当てられることになることが教示及び示唆される。
さらに、上記薄膜基板は芳香族ポリマー材料から構成され、その場合、開放ナノトラック又は実在ナノトラックを形成するために化学試薬を利用している最中に、アルカリ性及び／又は酸化する湿潤環境内でエッチングを実行することができ、選択された粒子又はイオン、並びに薄膜基板内の選択された材料及びその割り当てられた厚みに応じて、運動エネルギーはイオン当たり２００〜７０００ＭｅＶになるように選択されるべきであることが教示及び示唆される。
【００５４】
さらに、本発明は、選択されたナノワイヤ又は潜在横断ナノトラックが、ポリイミド及び／又はポリカーボネートプラスチック内に実在ナノトラックを形成し、次亜塩素酸ナトリウム含有溶液及び／又は酸化カリウム含有溶液によって薄膜基板を横断するために処理されるべきであることを教示及び示唆する。
【００５５】
さらに、上記形成される実在横断開放ナノトラックは、内側トラック表面を濡らすために、エタノール等で事前処理されてもよいことが教示及び示唆される。
［利点］
第一に本発明の特徴及びそれにより提供される特別な意味のある特徴と見なすことができる利点は、このようにして、電気的熱電対及び／又は１つ又は複数の回路構成のような、処理された薄膜基板によって、そのような熱電対が、スペクトル分析用に構成される検出器内に、１つ又は複数の信号受信機のような１つ又は複数の回路構成として収容されるようになる状況を作り出すことができるようにするために、複数の状況が作り出されたことである。
【００５６】
熱電対の応用形態では、スペクトル分析から選択される周波数を有する光線又は光波にいくつかのホットジョイントが曝露されるようにするための状況が作り出されており、いくつかのコールドジョイントが光線の陰に配置されるようになり、それにより、熱電対に収容されるマイクロバイアの長さを薄膜基板の厚みにそのまま適合できるという、簡単に実現される可能性が提供され、それにより、パルス状の光源を利用中に生じる温度差に適合できるようにする状況が作り出されている。
【００５７】
さらに、薄膜基板内への熱伝導を制御するための状況、個々のマイクロバイアの抵抗値を適合させるための状況、及び利用されるマイクロバイア及び材料の構造並びに薄膜基板の厚みによってホットジョイントとコールドジョイントとの間に生じる熱伝導に適合するための状況が作り出されている。
【００５８】
第一に本発明の特徴と見なすことができるものは、添付の請求項１の特徴部分において規定される。
本明細書で、単に本発明の実施形態を例示するにすぎないが、現在提案されている実施形態とともに、本発明に適合するように薄膜基板を処理できるようにするために、本発明に関連付けられる意味のある特徴を有する従来の既知の方法が、より詳しく説明されることになり、その際、添付の図面が参照される。
【発明を実施するための最良の形態】
【００５９】
本明細書で図１〜図３を参照すると、図１には、前置きとして述べられた特許公開において示される技術的な必要条件による、いくつかの工程ステップにおいて薄膜基板を処理できるようにするためのこれまでに知られている方法が示される。
【００６０】
こうして、「ａ」〜「ｆ」で指示される異なる工程ステップにおいて、薄膜基板１を処理できるようにし、それにより薄膜基板１を完全に貫通して、向かい合っていない表面１ａ、１ｂにおいて電気的に接続される複数のマイクロバイアを有する、図２のプリント回路カード２を製造できるようにし、それにより、トロイダルインダクタコイル２ａの形で
、電気回路構成を形成できるようにするための提案される一連のステップが図１に示される。
【００６１】
簡単にするために、図２には「Ｖ１」、「Ｖ２」〜「Ｖ５」で示される５つのマイクロバイアだけを用いることが示されるが、実用的な応用形態では、本明細書で示されるものよりも、著しく多くの数、及び著しく高い密度の構造が必要とされる。
【００６２】
図１ａでは、薄膜基板１の全体が、イオン「Ｊ」の形をとる加速された粒子で処理されこと、及びそれに関連して、これらのイオンが貫通することにより、いくつかのナノワイヤ１ｄ又は潜在ナノトラック１ｄが形成されることが示される。
【００６３】
イオン「Ｊ」として、１０００ＭｅＶ１２９Ｘｅ２７＋を利用できることが好都合であり、それは、薄膜基板１の形をとる、ポリイミド構造のプラスチックを貫通するのに適していることが立証されている。
【００６４】
図１ａでは、薄膜基板１は、上側にある第１の薄い銅層１' 及び下側にある第２の薄い銅層１''によって覆われる。
図１ｂは、薄膜基板１の上側１' 及び下側１''がそれぞれ１つの銅層１２及び１３をコーティングされており、上側銅層１２が開口部１２ａを設けられていることを示す
。
【００６５】
より詳細には、銅層１２は、図２においてバイア「Ｖ１」と呼ばれる所望のマイクロバイアに隣接して開口部１２ａを画定するために処理される。
図１ｃでは、実在ナノトラック１ｅが形成されるように、ナノワイヤ１ｄが処理される。
【００６６】
図１ｃは、上記イオン又は粒子「Ｊ」が表面部分に衝突するときの速度、及びその粒子の質量が互いに、少なくともいくつかの粒子が十分な確実度で上記薄膜基板１を完全に貫通することになるようにその粒子「Ｊ」に関連付けられる運動エネルギーが選択されるような値になされ、それにより、上記薄膜基板を完全に横断するいくつかのナノワイヤ１ｄ又は潜在ナノトラックを形成できるようにすることを示すことも意図している。
【００６７】
図１ｄは、バイア「Ｖ１」のようなスルーホールに関連付けられるマイクロバイアを形成するために、既知の態様の上記実在ナノトラック１ｅが、極めて良好な導電性を有する金属材料１ｆで満たされることになることを示す。
【００６８】
さらに、図１ｄは、電着のような既知の工程によって、ニッケル又は銅が２つのステップで小孔又は実在ナノトラック１ｅ内に堆積されることを示す。
小孔又は実在ナノトラック１ｅは、下側層１''に向かって、薄膜基板１の全厚を貫通して延在するので、この層は支持部分を構成することができ、別法では、粘着テープが用いられる。
【００６９】
図１ｃでは、実在ナノトラックの濡れを改善するために、エタノールを用いて、スルーホール又は実在ナノトラック１ｅの事前洗浄を行うことができる。
図１ｅでは、電着による材料が上側銅層に達する前に、上側銅層１' が除去されていることが示される。
【００７０】
第１の電着は、銅層又は銅薄膜１''をエッチング液に対して保護するための役割を果たすようになされる。
その後、電着は続く。
【００７１】
マイクロバイア「Ｖ１」が薄膜基板１の上側表面１ａに向かって成長したとき、「カップ」が形成され、堆積が中止される。
図１ｆは、本明細書で、上記スルーホールに関連付けられるバイア「Ｖ１」のうちの１つが、薄膜基板の向かい合っていない表面に回路として被着され、且つ導電性を有する１つ又は２つの材料によって相互接続されることができることも示す。
【００７２】
図１ｆは、この点で、薄い金薄膜１ｇが上側表面１ａに対して蒸着されており、銅薄膜１ｈがその上に被着されていることを示すことができる。
本明細書で、上側（及び下側）の上に必要な回路を等方性ウエットエッチングによって形成することができる。
【００７３】
本明細書で、図２はインダクタコイルを示し、５つのバイアだけが示されており、バイア「Ｖ１」、「Ｖ２」〜「Ｖ５」を直列に接続してインダクタコイルにするために、本明細書では「Ｌ１」、「Ｌ３」及び「Ｌ５」で示される必要な第１の導電性ワイヤが、薄膜基板の上側表面１ａに被着され、本明細書では「Ｌ２」、「Ｌ４」及び「Ｌ６」で示され、薄膜基板の向かい合っていない表面１ｂに被着される第２の導電性ワイヤによって接続される。
【００７４】
本明細書で、図３は主に、上記バイア「Ｖ２」、「Ｖ３」及び「Ｖ４」の様子を示しており、下側１ｂ上にある回路「Ｌ４」に加えて、図２が示すようにして、上側１ａ上にある回路「Ｌ３」、「Ｌ５」がマイクロバイアに相互接続されている。
【００７５】
上側１ａ上にある全ての導電性ワイヤ、薄膜基板を貫通する全てのマイクロバイア及び下側１ｂ上にある全ての導電性ワイヤは１つの同じ金属材料から形成される。
［現時点で提案される実施形態の説明］
さらに前置きとして、本発明に関連付けられる意味のある特徴を有し、且つ添付の図面に示される図４〜図１０によって明らかにされる、現時点で提案される実施形態に関する以下の説明では、主に本発明の根本的な概念を明らかにできるように、用語及び特定の術語が選択されていることを強調しておきたい。
【００７６】
しかしながら、これに関連して、本明細書において選択される表現は、本明細書において用いられ、且つ選択される用語だけに限定するものと見なされるべきではなく、このようにして選択された各用語は、それに加えて、全く同じ、又は概ね同じ意図及び／又は技術的効果を達成できるようにするために、全く同じ、又は概ね同じようにして動作する、全ての技術的に同等のものを含むように解釈されるべきであることを考慮に入れるべきである。
【００７７】
こうして、図４を参照すると、本発明のための根本的な条件及び要件が概略的に示されており、本発明に関連付けられる意味のある特性及び特徴が、図４〜図１０によって添付の図面において以下にさらに厳密に示され、且つ以下の記述においてさらに厳密に説明される、現時点で適当な提案される工程とともに、現時点で提案される実施形態によって、概ね具現されている。
【００７８】
こうして、本発明は主に、別の技術分野及び応用形態のために、図１〜図３において教示されている方法に基づいており、この技法から、気体計量のための応用形態において検出器としての役割を果たすように構成される、以下の説明では熱電対として例示されることになる、１つ又は複数の電気回路構成を提供できるようにするために、複数の改変が必要とされる。
【００７９】
これに関連して、主に図１ｅに示されているものによれば、本発明は、「Ｖ１０」、「Ｖ３０」及び「Ｖ５０」で示される、本明細書では第１のマイクロバイアと呼ばれる第１の数のマイクロバイアを形成するために、本明細書では３つとして示される第１の数の実在ナノトラック１ｅが、良好な電気的特性を有する第１の材料Ｍ１で満たされることを教示する。
【００８０】
しかしながら、本発明は、「Ｖ２０」、「Ｖ４０」及び「Ｖ５０」で示される、本明細書では第２のマイクロバイアと呼ばれる第２の数のマイクロバイアを形成するために、本明細書では３つとして示される第２の数の実在ナノトラック１ｅが、良好な電気的特性を有する第２の材料Ｍ２で満たされることを教示又は示唆しており、しかしながら、これは、第１のバイア「Ｖ１０」、「Ｖ３０」及び「Ｖ５０」が覆われ、マスクされることになり、且つ第２の実在ナノトラックが、第２の材料Ｍ２によって到達されるように露出されるという条件で、主に図１ｅにおいて教示されるものに従って達成することができる。
【００８１】
その方法、及びそれによって関連付けられる工程ステップは、図８、図９及び図１０においてさらに厳密に図示及び記述され、それらは以下にさらに詳細に説明されるであろう。
【００８２】
熱電対１００に関して、本発明に従って例示される実施形態の場合に重要なのは、ホットジョイント（１０ａ）とコールドジョイント（１０ｂ）との間の温度差において起電力（ＥＭＦ）を与える、１つ又は複数の適当に組み合わせられた、又は個別の電気的熱電対を形成するために、上記第１のマイクロバイア及び第２のマイクロバイアの第１の材料Ｍ１及び第２の材料Ｍ２が、互いに異なる電気−熱特性を有するように選択されるべきであるということである。
【００８３】
これに関連して、本発明は、温度差がある中で端部を当接して互いに結合されるときに、異なる金属が異なる電気−熱特性を有するという理解に基づいている。
したがって、本発明は、既知の実験から、所望の材料間の所望の熱電気特性を決定できるようになることに基づいている。
【００８４】
形成された電気回路Ｌ１０、Ｌ３０、Ｌ５０によって、第１の材料Ｍ１を割り当てられる第１のマイクロバイア「Ｖ１０」、「Ｖ３０」及び「Ｖ５０」と、第２の材料Ｍ２を割り当てられる第２のマイクロバイア「Ｖ２０」、「Ｖ４０」及び「Ｖ５０」とを電気的に相互接続できるようにするために、薄膜基板１０の両側にコーティングされる、薄膜基板１０の表面に被着される導電性材料１０ａ及び１０ｂが配設され、且つ／又は構成される。
【００８５】
直列接続に収容される最初のマイクロバイア「Ｖ１０」及び同じ直列接続に収容される最後のマイクロバイア「Ｖ５０」が適当に組み合わせられて、接続１０１及び１０２を介して直列に接続される電気的熱電対１００が形成される。
【００８６】
図２だけでなく、図４にもインダクタンスの一部、別法では本発明による電気的熱電対１００の一部のみが示されており、熱電対１００を形成するためには、それよりもかなり多くのマイクロバイアが互いに直列に接続されることができ、接続されることになることは理解されたい。
【００８７】
同じ薄膜材料１上に、図４に従って直列に接続される複数の個々の熱電対を形成することも妨げられない。
直列に接続される複数のそのような個々の熱電対１００を並列に接続することも妨げられない。
【００８８】
電気的熱電対１００の図４に示される処理された薄膜基板１０は、スペクトル分析用に構成される検出器内に信号受信機として収容されるように構成される。
参照符号１０ａ' のように、薄膜基板１０上で電気的熱電対１００の表面部分１０ａを繰り返すことができること、及びそれにより１つの同じ薄膜基板１０上で２つの電気的熱電対１００及び１００' を提供でき、当該熱電対１００及び１００' はそれぞれ、スペクトル分析中に異なる光線又は波を検出するために用いることができ、熱電対１００は本来の測定のために用いることができ、熱電対１００' は基準測定として用いることができ、いずれの信号も、上記接続ワイヤを介して、それ自体が知られているタイプの電子値計算回路に供給されることは当業者には明らかである。
【００８９】
図４によれば、本発明の範囲内には、バルク材料として、薄膜基板１０の全体の選択された部分、又は外側表面１０ａが、加速された重イオン「Ｊ」で処理され、それにより、異なる金属のために、電気的熱電対として相互接続される、或る特定のマイクロバイアを用いるための状況を作り出すだけでなく、薄膜基板の内部に、従来から知られている形の別の電気回路及び回路構成を形成するための状況を作り出すことができるようにすることが含まれる。
【００９０】
本明細書において教示される本発明及びその応用形態によれば、粒子又はイオンに割り当てられる運動エネルギーは、粒子のうちの少なくとも８０％が十分な確実度で上記薄膜基板１０の選択された厚みを通り抜けるように選択され、それにより、適当に組み合わせられたマイクロバイアが薄い基板を通して確実に完全に接続されるようにする必要がある。
【００９１】
本発明は、互いに同じ又は異なる材料を有する複数のマイクロバイアを直列に接続するための可能性に基づくので、マイクロバイアが表面の上下を完全に貫通し、且つ電気的な接触を与えるために、表面に関連付けて形成された回路を介してスルーホール関連のマイクロバイアをそのように直列に接続するための確実性が要求される。
【００９２】
また本発明によれば、上記実在ナノトラックはマスキング工程又はテンティング工程によって形成できるようになり（この結果は上記薄膜基板に関連する表面エリア上の刺繍片と比較される）、その場合に、第１のマイクロバイアを形成するために、選択された工程及びマスキングによって、第１の数の選択された実在ナノトラックが第１の導電性材料で満たされるようになる。
【００９３】
しかしながら、第２のマイクロバイアを形成するために、選択された工程及びマスキングによって、第２の数の選択された実在ナノトラックが第２の導電性材料で満たされるようになり、上記第１のバイア及び上記第２のバイアが電気的熱電対として、及び／又は回路構成に相互接続されるとき、所望の特性を与えるために、それらのバイアが適当に組み合わせられる。
【００９４】
こうして、本発明は、個別の導電性ワイヤ及び回路を形成するために、複数の第１のマイクロバイア及び複数の第２のマイクロバイアが、マスキング又はテンティングによって、薄膜基板の２つの表面のうちの一方に被着される導電性材料によって電気的に相互接続されるようになることも教示する。
【００９５】
さらに、個別の導電性ワイヤ及び回路を形成するために、複数の第１のマイクロバイア及び複数の第２のマイクロバイアが、マスキング又はテンティングによって、薄膜基板の２つの表面のうちの第２の表面に被着される導電性材料によって電気的に相互接続されるようになることが教示される。
【００９６】
他の電気回路構成において回路として上記バイアを含むことができるようにするために、上記導線性ワイヤ及び回路を形成するのと同時に、薄膜基板の内部にある他のマイクロバイアを介して横断回路を配設することも妨げられない。
【００９７】
上記薄膜基板１０は、プラスチック材料から選択され、２００〜３０μｍ、好ましくは１２０〜５０μｍの厚みを割り当てられ、それにより、以下にさらに厳密に説明されることになる性質の電気的熱電対を提供できるようにする。その厚みは、１００〜７５μｍで選択されることができるようになる。
【００９８】
より詳細には、上記薄膜基板１０は芳香族ポリマー材料から成ることができ、開放実在ナノトラックを形成するために化学試薬を利用しながら、アルカリ性及び／又は酸化する湿潤環境内でエッチングが行われる。
【００９９】
より詳細には、運動エネルギーはイオン当たり２００〜７０００ＭｅＶになるように選択されることになり、それらのイオンが、或る選択された確実度、本明細書では少なくとも８０％として設定される確実度で、薄膜基板１０の厚みを貫通できるようにすることが示される。
【０１００】
薄膜基板１０内に存在する上記ナノワイヤ１ｄは「クーロン」爆発及び／又は後続の熱過渡現象によって形成することができ、それは先に述べられた特許公開の１８ページにおいてさらに厳密に示され、記述される。
【０１０１】
薄膜基板１０を横断する実在ナノトラックを形成するために、上記選択された潜在横断ナノワイヤ又はナノトラック１ｄが、たとえば既知の態様で処理され、この処理では、次亜塩素酸ナトリウム含有溶液又は酸化カリウム含有溶液を利用することができる。
【０１０２】
さらに、上記実在横断開放ナノトラック１ｅは、内側トラック表面を濡らすために、エタノール等で事前処理できることが教示される。
図５を参照すると、スペクトル分析用の検出器のために提案される熱電対において、ホットジョイントに割り当てられる温度及びコールドジョイントに割り当てられる温度のための温度−時間グラフが示されており、指定される温度差「ｄＴ」は、少なくとも以下の要因によるものと見なすことができる。
ａ）上側表面１０ａに対して入射する光波の光強度。
ｂ）２つの連続するパルス間の光強度の周波数。
ｃ）光強度の上昇勾配特性。
ｄ）薄膜基板１０を横断するマイクロバイアの長さ「ｄ」。
ｅ）薄膜基板１０を横断するマイクロバイアの計算された太さ「ｔ」。
ｆ）隣接するマイクロバイア間の距離。ただし、距離「ａ」（図３）はバイア「Ｖ２」と「Ｖ３」との間の距離に相当し、一方、距離「ａ１」はバイア「Ｖ２」と「Ｖ４」との間の距離に相当する。
ｇ）マイクロバイアとバルク材料との間に生じる熱伝達。
ｈ）バルク材料又は薄膜基板１０において選択される材料。
ｉ）下側表面１０ｂから基層１０３への選択された熱伝導。
ｊ）個々のマイクロバイアを形成する際に並列に接続される実在ナノトラックの数。
ｋ）上記実在ナノトラックの計算された太さ。
【０１０３】
図４による実施形態は、それぞれが１つの電気的熱電対に適した、いくつかの異なるパラメータを利用することを示し、明示する。
表面１０ａ上で発生する熱が増加すると、熱伝導によって表面１０ｂまで長い距離を通
るので、マイクロバイア「Ｖ１０」及び他のマイクロバイアの長さ「ｄ」が長くなると、明らかに大きな信号「Ｖ」を与えることができるようになるだけでなく、発生する温度差の遅延が大きくなるのがごく自然である。
【０１０４】
より太いマイクロバイア又は過剰の複数の実在ナノトラックから成るマイクロバイアは、表面１０ｂへの熱伝導を増す。
いくつかのより細いマイクロバイアは、同じ断面積を有する太いマイクロバイアよりも、バルク材料への熱伝導が大きい。単一の太いマイクロバイアは、いくつかの細いマイクロバイアよりも低い温度勾配を与える。
【０１０５】
マイクロバイアが細くなると、太いマイクロバイアよりも高い電気抵抗値が与えられる。
指定されたように直列に相互接続されるマイクロバイアの数が増えると、マイクロバイアが少ない場合よりも出力信号が高くなる。
【０１０６】
電気的熱電対の条件を指定することができる付加的なパラメータは、用いられる光源又はランプの時間関連の特性が、発生する温度差に影響を及ぼすことである。
しかしながら、パルスによってランプが制御され、それによりランプが、放射される光パルスの選択された周波数を割り当てられる場合には、この周波数は、１００μｍの厚み「ｄ」を有する薄膜基板において０．１秒の間に現われるように選択されるべきであることがわかっている。
【０１０７】
別の条件は、マイクロバイアが所定の抵抗値を有するべきであり、その抵抗値は、できる限り低く、たとえば１００Ω未満にすべきであるというものであるが、３０〜５０ｋΩまでの電気的熱電対の抵抗値が許容されなければならないであろう。
【０１０８】
図６は、温度差の時間による推移を示しており、そのグラフは、電気的熱電対１００からの出力信号を表すものと見なすこともできる。
図７には、薄膜基板の高さ寸法又は厚み「ｄ」が電気的熱電対からの出力信号に如何に関連付けられ、また用いられる光源又はランプの繰返し周波数に如何に関連付けられるかに関するグラフが示される。
【０１０９】
本発明による電気的熱電対は、その数のうちの半分は金属Ｍ１のような第１の材料から成り、残りの半分は金属Ｍ２のような第２の材料から成る、さらに多くのマイクロバイア又は適当に組み合わせられたマイクロバイアの場合にも都合良く構成されるようになる。
【０１１０】
要するに、実在ナノトラック及びマイクロバイアは、実用的に可能な限り細くされるべきであり、用いられる金属材料はできる限り熱伝導率を低くすべきであると言うことができる。
【０１１１】
材料対Ｍ１及びＭ２は、できる限り同程度のゼーベック効果、熱電効果又は起電力（ＥＭＦ）を有するべきである。
当然、本発明の範囲内には、マイクロバイアにおいて、及び／又は表面部分１０ａ及び１０ｂのために、それぞれ十分に導電性の材料又は半導電性の材料を利用できるようにし、それにより、少なくとも２つの異なる材料を利用しながら、種々の回路構成を構成できるようにすることが含まれる。
【０１１２】
表面１０ａ及び１０ｂに沿った回路のために、それぞれマイクロバイアにおいて用いられる材料とは異なる金属材料を選択することも妨げられない。
図８では、薄膜として構造化されるバルク材料によって、少なくとも２つ、本明細書で
は金属材料Ｍ１、Ｍ２及びＭ３によって示される３つの異なる材料を利用して、熱電対又は別の回路構成を形成できるようにするために、図１に示される方法に類似の、いくつかの工程ステップ「Ａ」、「Ｂ」〜「Ｇ」に分割される方法の一連のステップが示される。
【０１１３】
こうして、図８Ａは、粒子又はイオン８０ａを利用しながら、薄膜材料の形をとるバルク材料８０が放射線に曝露され、それにより横断するナノワイヤ８０ｂ又は潜在ナノトラック８０ｂが形成されることを示す。
【０１１４】
本明細書では、同じ工程ステップの従来技術によって、材料８０の上側表面８０ｃ全体が処理され、ナノワイヤ８０ｂが良好に配設されるようになる。
図８Ｂは、実在ナノトラック８０ｄを配設するために、図８Ａにおいて形成されたナノワイヤ８０ｂが工程ステップ内のエッチング工程にかけられることを示す。
【０１１５】
本明細書では、上側表面８０ｃ全体が、バルク材料８０が実在ナノトラック８０ｄの高密度の穴を有するように処理される。
図８Ｃでは、図８Ｂに従って処理される材料８０が、さらに別の工程ステップにおいて金属層８０ｅを設けられることが示される。
【０１１６】
図８Ｄは、１つの工程ステップにおいて、露出した３つの図示される実在ナノトラック８０ｈを覆うために、マスキング及び開口部８０ｇを有するフォトレジスト乾燥塗膜８０ｆが上側表面８０ｃに被着されることを示す。
【０１１７】
電気めっきを含む１つの工程ステップによって、同じ材料がナノトラック８０ｈを満たし、且つ開口部８０ｇの内部に行き渡るように、金属材料「Ｍ１」が被着される。
図８Ｄは、マスキング又は保護薄膜としての役割を果たすレジスト８０ｉが金属層８０ｅに被着されていることも示す。
【０１１８】
図８Ｅは、後続の工程ステップにおいて、乾燥塗膜８０ｆが除去され、３つの露出して示される他の実在ナノトラック８０ｈ' を覆うために、開口部８０ｇ' を有するフォトレジスト乾燥塗膜８０ｆ' が上側表面８０ｃに被着されることを示す。
【０１１９】
電気めっきを含む工程ステップを繰り返すことにより、金属材料「Ｍ２」がナノトラック８０ｈ' を満たし、且つ開口部８０ｇ' の内部に行き渡るように被着される。
図８Ｆは、薄膜８０ｆ' が１つの工程ステップにおいて除去されており、それに続く工程ステップにおいて、露出した、満たされたナノトラック８０ｈ及び８０ｈ' をそれぞれマイクロバイアとして覆うために、開口部８０ｋを備えるマスキングを有する新たなフォトレジスト８０ｊ、すなわち乾燥塗膜が上側表面８０ｃに被着され、電気めっきによって、「Ｌ１０」によって示されるような、必要とされる回路を形成する金属材料Ｍ３が被着されることを示すことを意図している。
【０１２０】
また図８Ｆは、金属層８０ｅ及び保護薄膜８０ｉ' が１つの工程ステップにおいて除去されており、それに続く工程ステップにおいて、露出した、満たされたナノトラック８０ｈ及び８０ｈ' をそれぞれマイクロバイアとして覆うために、開口部８０ｋ' の形のマスキングを有する新たなフォトレジスト８０ｊ' 、すなわち乾燥塗膜が下側表面８０ｃ' に被着され、電気めっきによって、図４に「Ｌ３０」によって示されるような、必要とされる回路を形成する金属材料Ｍ３が被着されることを示すことも意図している。
【０１２１】
図８Ｇは、１つの工程ステップにおいて、フォトレジスト８０ｊ及び８０ｊ' が除去され、それにより、互いに電気的に結合及び接続される、マイクロバイアと、薄膜８０の上側８０ｃ及び下側８０ｃ' 上にある回路とを有する回路構成（１００）が使えるようにな
ることを示す。
【０１２２】
他の実施形態では、材料「Ｍ１」、「Ｍ２」、「Ｍ３」及び「Ｍ４」は、導電性を有する金属材料から同じものを選択することができるか、又は異なる導電性を有する材料、及び／又は半導電性を有する材料から互いに異なるものを選択することができる。
【０１２３】
さらに、図８Ｇは、金属材料によって覆われない、或る特定の選択された実在ナノトラック８０ｍ、８０ｍ' が通気管路及び冷却管路としての役割を果たすことができることも示す。
【０１２４】
図９には、薄膜として構造化されるバルク材料によって、少なくとも２つ、本明細書では金属材料Ｍ１、Ｍ２及びＭ３によって示される３つの異なる材料を利用して、熱電対又は他の回路構成を形成できるようにするために、図８に示される方法に類似の、いくつかの工程ステップ「Ａ」、「Ｂ」〜「Ｆ」に分割される方法の一連のステップが示される。
【０１２５】
こうして、図９Ａは、粒子又はイオン８０ａを利用しながら、薄膜材料の形をとるバルク材料８０が放射線に曝露され、それにより横断するナノワイヤ８０ｂ又は潜在ナノトラック８０ｂが形成されることを示す。
【０１２６】
本明細書では、同じ工程ステップの従来技術によって、材料８０の上側表面８０ｃ全体が処理され、ナノワイヤ８０ｂが良好に配設されるようになる。
図９Ｂは、選択された実在ナノトラック８０ｄを配設するために、図９Ａにおいて形成されたナノワイヤ８０ｂがフォトレジスト８０ｆによって覆われ、マスキング及びその開口部８０ｇによって、それらのナノワイヤが、図９Ｃによる１つの工程ステップ内のエッチング工程にかけられることを示す。
【０１２７】
本明細書では、上側表面８０ｃの選択された部分だけが、バルク材料８０が実在ナノトラック８０ｄの選択された穴を有するように処理される。
図９Ｂ及び図９Ｃでは、さらに別の工程ステップにおいて、材料８０が金属層８０ｅを設けられることが示される。
【０１２８】
図９Ｄは、１つの工程ステップにおいて、露出した３つの図示される実在ナノトラック８０ｈを覆うために、開口部８０ｇを有するフォトレジスト、乾燥塗膜８０ｆが上側表面８０ｃに被着されることを示す。
【０１２９】
電気めっきを含む１つの工程ステップによって、同じ材料がナノトラック８０ｈを満たし、且つ開口部８０ｇの内部に行き渡るように、金属材料「Ｍ１」が被着される。
図９Ｅは、後続の工程ステップにおいて、乾燥塗膜８０ｆが除去され、露出した３つの図示される他の実在ナノトラック８０ｈ' を覆うために、開口部８０ｇ' を有するフォトレジスト、乾燥塗膜８０ｆ''が上側表面８０ｃに被着されることを示す。
【０１３０】
電気めっきを含む工程ステップを繰り返すことにより、同じ材料がナノトラック８０ｈを満たし、且つ開口部８０ｇ' の内部に行き渡るように金属材料「Ｍ２」が被着される。
図８Ｆ及び図８Ｇに従って先に示された工程ステップによって図９Ｆが達成されるので、これ以上は図示されない。
【０１３１】
図１０は、マスキング工程又はテンティングによって、イオン８０ａからの放射線がもらされる結果として、潜在ナノトラック及びナノワイヤ８０ｂだけが、上記の工程ステップの後に、マイクロバイアを形成することになる表面部分の内部に形成されることを示すことを意図している。
【０１３２】
本発明が熱電対に関連して例示される場合であっても、上記技法を、ＩＲ検出器、動き検出器等の他の検出器のためにも用いることができることは明らかである。
当然、本発明は例として先に与えられた実施形態には限定されず、添付の特許請求の範囲に示される、本発明による包括的な概念の範囲内で変更することができる。
【０１３３】
特に、所望の技術的な機能を達成できるようにするために、本発明の範囲内で、図示される各ユニットを、図示される別の各ユニットと組み合わせることができることが考慮に入れられるべきである。
【図面の簡単な説明】
【０１３４】
【図１】薄膜材料を貫通して適当に組み合わせられるマイクロバイアを用いることにより、１つの同じ金属材料からトロイダルインダクタコイルを形成できるようにするために、一連のステップ「ａ」〜「ｆ」において薄膜基板を処理するための既知の方法を示す断面図。
【図２】図１の方法に従って形成されるインダクタコイルを示す斜視図。
【図３】表面上に構造化された関連する回路とともに、インダクタコイル内のいくつかのバイアを、バルク材料を除いた状態で示す図。
【図４】本発明に関する規定による電気的熱電対を示す斜視図。
【図５】本発明による１つの応用形態において、電気的熱電対のホットジョイント及び熱電対のコールドジョイントに割り当てることができる、時間による温度差の一例を示すグラフ。
【図６】熱電対によって電圧又は起電力（ＥＭＦ）に相当する変化が与えられる場合の、温度差の時間による変化を示すグラフ。
【図７】最大の温度差が生じるときの、薄膜基板のために選択された厚みと時間との間の関係を表すグラフ。
【図８】薄膜として構造化されたバルク材料から、少なくとも２つの異なる金属材料によって熱電対又は別の回路構成を形成できるようにするための、複数の工程ステップから成る方法に関する、図１に示される一連のステップに類似の一連のステップを示す図。
【図９】複数の工程ステップから成る別の方法に関する、図８に示される一連のステップに類似の一連のステップを示す断面図。
【図１０】図９の最初の２つの工程ステップを１つの工程ステップにまとめるための別の方法を示す断面図。
【図１】
2007529101.tif 000003
【図２】
2007529101.tif 000004
【図３】
2007529101.tif 000005
【図４】
2007529101.tif 000006
【図５】
2007529101.tif 000007
【図６】
2007529101.tif 000008
【図７】
2007529101.tif 000009
【図８】
2007529101.tif 000010
【図９】
2007529101.tif 000011
【図１０】
2007529101.tif 000012
【国際調査報告】
2007529101.tif 000013
2007529101.tif 000014